(57)【特許請求の範囲】
【請求項１】
複数の表示装置を含んで構成されるマルチモニタシステムにおける自表示装置を固定する固定部と、
前記マルチモニタシステムにおける前記自表示装置の配置位置を示す配置位置情報を記憶する情報設定部と、
を備え、
前記配置位置情報は、前記マルチモニタシステムにおける前記複数の表示装置のマトリクス構成を示す情報を含む、
モニタスタンド。
【請求項２】
前記情報設定部は、外部の端末から送信される前記配置位置情報を受信し、前記配置位置情報を記憶する、
請求項１に記載のモニタスタンド。
【請求項３】
前記情報設定部は、記憶した前記配置位置情報を読み出し、前記配置位置情報を前記自表示装置に送信する、
請求項１又は請求項２に記載のモニタスタンド。
【請求項４】
前記情報設定部は、
隣接する他のモニタスタンドから送信された配置位置情報を受信し、前記配置位置情報に基づいて前記自表示装置の配置位置情報を決定し、前記配置位置情報を記憶させる、
請求項１から請求項３のいずれか一項に記載のモニタスタンド。
【請求項５】
複数の表示装置を含んで構成されるマルチモニタシステムにおける自表示装置を固定する固定部と、
前記マルチモニタシステムにおける前記自表示装置の配置位置を示す配置位置情報を記憶する情報設定部と、
を備え、
前記情報設定部は、
隣接する他のモニタスタンドから送信された配置位置情報を受信し、前記配置位置情報に基づいて前記自表示装置の配置位置情報を決定し、前記配置位置情報を記憶させる、
モニタスタンド。
【請求項６】
複数の表示装置を含んで構成されるマルチモニタシステムにおける表示装置であって、
当該表示装置を固定するモニタスタンドから送信される、前記マルチモニタシステムにおける当該表示装置の配置位置を示す配置位置情報を受信する情報受信部と、
画像データを取り込む画像データ取得部と、
前記情報受信部が受信した前記配置位置情報に基づいて前記画像データ取得部が取り込んだ前記画像データにおける表示範囲を決定する表示範囲決定部と、
を備える表示装置。
【請求項７】
複数のモニタスタンドに複数の表示装置をそれぞれ取付けて構成されるマルチモニタシステムであって、
前記複数のモニタスタンドそれぞれは、
前記表示装置を固定する固定部と、
前記マルチモニタシステムにおける前記表示装置の配置位置を示す配置位置情報を記憶するとともに、前記配置位置情報を前記表示装置に送信する情報設定部と、
を備え、
前記複数の表示装置それぞれは、
前記情報設定部が送信する、前記配置位置情報を受信する情報受信部と、
画像データを取り込む画像データ取得部と、
前記情報受信部が受信した前記配置位置情報に基づいて前記画像データ取得部が取り込んだ前記画像データにおける表示範囲を決定する表示範囲決定部と、
を備えるマルチモニタシステム。
【請求項８】
複数のモニタスタンドに複数の表示装置をそれぞれ取り付けて構成されるマルチモニタシステムにおける自表示装置の配置位置を示す配置位置情報を、前記自表示装置に対応するモニタスタンドに設けられた情報設定部が受信する受信ステップと、
前記受信ステップにおいて受信された前記配置位置情報を、前記情報設定部が記憶する記憶ステップと、
を有し、
前記配置位置情報は、前記マルチモニタシステムにおける前記複数の表示装置のマトリクス構成を示す情報を含む、
情報書き込み方法。
【発明の詳細な説明】
【技術分野】
【０００１】
本発明は、モニタスタンド、表示装置、マルチモニタシステム、および情報書き込み方法に関する。
【背景技術】
【０００２】
複数の表示装置を用いて一つの大画面を構成し、この大画面に映像を表示させるマルチモニタシステムが知られている（例えば、特許文献１参照）。このマルチモニタシステムを構成する複数の表示装置それぞれは、各表示装置に対応したリモコン送信機によって、表示装置の台数や映像表示位置等の設定を行うものである。
【先行技術文献】
【特許文献】
【０００３】
【特許文献１】特開２００３−３１６３３９号公報
【発明の概要】
【発明が解決しようとする課題】
【０００４】
しかしながら、上述のように各表示装置に対応したリモコン送信機によって設定を行うのでは、マルチモニタシステムを構成する表示装置の台数が多い場合には、設定に手間がかかり、また、作業時間が長時間となる。【０００５】
また、マルチモニタシステムは、広告表示等のために、イベント会場や大規模商業施設に設置されることがある。このような施設では、一度、マルチモニタシステムを構築して設定が完了した後、一旦マルチモニタシステムを解体し、再びマルチモニタシステムを組み立て直すようなことが多い。上述したように各表示装置に対応したリモコン送信機によって設定を行う方式では、マルチモニタシステムを再度組み立てる際に、同一の位置に同一のモニタを設置しないと、再度表示設定を行う必要が生じる。【０００６】
また、マルチモニタシステムを構築する複数の表示装置の中の一台が故障するようなことが想定される。この場合、その表示装置を交換する作業が必要になる。このとき、上述のように各表示装置に対応したリモコン送信機による設定では、表示装置の交換作業とともに、リモコン送信機による表示装置の台数や映像表示位置等の設定作業が必要となる。【０００７】
本発明は、上記事情を考慮してなされたものであり、マルチモニタシステムにおいて、表示装置の配置位置を容易に設定することができる、モニタスタンド、表示装置、マルチモニタシステム、および情報書き込み方法を提供する。
【課題を解決するための手段】
【０００８】
［１］上記の課題を解決するため、本発明の一態様であるモニタスタンドは、複数の表示装置を含んで構成されるマルチモニタシステムにおける自表示装置を固定する固定部と、前記マルチモニタシステムにおける前記自表示装置の配置位置を示す配置位置情報を記憶する情報設定部と、を備え、前記配置位置情報は、前記マルチモニタシステムにおける前記複数の表示装置のマトリクス構成を示す情報を含む。
【０００９】
［２］上記の課題を解決するため、本発明の一態様である表示装置は、複数の表示装置を含んで構成されるマルチモニタシステムにおける表示装置であって、当該表示装置を固定するモニタスタンドから送信される、前記マルチモニタシステムにおける当該表示装置の配置位置を示す配置位置情報を受信する情報受信部と、画像データを取り込む画像データ取得部と、前記情報受信部が受信した前記配置位置情報に基づいて前記画像データ取得部が取り込んだ前記画像データにおける表示範囲を決定する表示範囲決定部と、を備える。【００１０】
［３］上記の課題を解決するため、本発明の一態様であるマルチモニタシステムは、複数のモニタスタンドに複数の表示装置をそれぞれ取り付けて構成されるマルチモニタシステムであって、前記複数のモニタスタンドそれぞれは、前記表示装置を固定する固定部と、前記マルチモニタシステムにおける前記表示装置の配置位置を示す配置位置情報を記憶するとともに、前記配置位置情報を前記表示装置に送信する情報設定部と、を備え、前記複数の表示装置それぞれは、前記情報設定部が送信する、前記配置位置情報を受信する情報受信部と、画像データを取り込む画像データ取得部と、前記情報受信部が受信した前記配置位置情報に基づいて前記画像データ取得部が取り込んだ前記画像データにおける表示範囲を決定する表示範囲決定部と、を備える。【００１１】
［４］上記の課題を解決するため、本発明の一態様である情報書き込み方法は、複数のモニタスタンドに複数の表示装置をそれぞれ取り付けて構成されるマルチモニタシステムにおける自表示装置の配置位置を示す配置位置情報を、前記自表示装置に対応するモニタスタンドに設けられた情報設定部が受信する受信ステップと、前記受信ステップにおいて受信された前記配置位置情報を、前記情報設定部が記憶する記憶ステップと、を有し、前記配置位置情報は、前記マルチモニタシステムにおける前記複数の表示装置のマトリクス構成を示す情報を含む。
［５］上記の課題を解決するため、本発明の一態様であるモニタスタンドは、複数の表示装置を含んで構成されるマルチモニタシステムにおける自表示装置を固定する固定部と、前記マルチモニタシステムにおける前記自表示装置の配置位置を示す配置位置情報を記憶する情報設定部と、を備え、前記情報設定部は、隣接する他のモニタスタンドから送信された配置位置情報を受信し、前記配置位置情報に基づいて前記自表示装置の配置位置情報を決定し、前記配置位置情報を記憶させる。
【発明の効果】
【００１２】
本発明によれば、複数の表示装置を配置して一つの大画面を形成するマルチモニタシステムにおいて、各表示装置の配置位置を容易に設定することができる。
【図面の簡単な説明】
【００１３】
【図１】本発明の実施形態に係るモニタスタンドの基本構成を示すブロック図である。
【図２】マルチモニタシステムの説明図である。
【図３】本発明の第１実施形態に係るマルチモニタシステムにおけるモニタスタンドの説明図である。
【図４】本発明の第１実施形態に係るマルチモニタシステムにおけるモニタスタンドおよび配置位置情報設定ユニットの説明図である。
【図５】本発明の第１実施形態に係るモニタスタンドにより表示装置を固定したときの状態の説明図である。
【図６】本発明の第１実施形態における各表示装置の表示位置の設定の説明図である。
【図７】モニタ設置番号の説明図である。
【図８】本発明の第１実施形態に係るマルチモニタシステムで使用される表示装置の機能構成を示すブロック図である。
【図９】本発明の第１実施形態の動作手順を示すフローチャートである。
【図１０】本発明の第２実施形態に係るマルチモニタシステムにおけるモニタスタンドおよび配置位置情報設定ユニットの説明図である。
【図１１】本発明の第２実施形態に係るモニタスタンドにより表示装置を固定したときの状態の説明図である。
【図１２】本発明の第２実施形態におけるモニタ設置番号の設定の説明図である。
【図１３】本発明の第２実施形態に係るマルチモニタシステムで使用される表示装置の機能構成を示すブロック図である。
【図１４】本発明の第２実施形態の動作手順を示すフローチャートである。
【図１５】本発明の第３実施形態に係るマルチモニタシステムにおけるモニタスタンドおよび配置位置情報設定ユニットの説明図である。
【図１６】本発明の第３実施形態に係るモニタスタンドにより表示装置を固定したときの状態の説明図である。
【図１７】本発明の第３実施形態におけるモニタ設置番号の設定の説明図である。
【図１８】本発明の第３実施形態の動作手順を示すフローチャートである。
【発明を実施するための形態】
【００１４】
以下、本発明の実施の形態について図面を参照しながら説明する。図１は、本発明の実施形態に係るモニタスタンドの基本構成を示すブロック図である。図１に示すように、本実施形態に係るモニタスタンドは、固定部５１１と、情報設定部５１２とを備える。
【００１５】
固定部５１１は、複数の表示装置を含んで構成されるマルチモニタシステムにおける表示装置５１３を固定する。情報設定部５１２は、マルチモニタシステムにおける表示装置５１３の配置位置を示す配置位置情報を記憶する。
［第１の実施形態］
次に、本発明の第１の実施形態に係るモニタスタンドについて説明する。本実施形態に係るモニタスタンドは、マルチモニタシステムを構築する際のモニタスタンドとして用いられる。
【００１６】
マルチモニタシステムは、図２に示すように、複数（同図においては９台）の表示装置１０ａ〜１０ｉを水平方向および垂直方向それぞれに３台配設することにより、３台×３台のマトリクス構成による大画面を構成するものである。本発明の実施形態に係るモニタスタンドは、このような複数の表示装置１０ａ〜１０ｉを所定の位置に固定して配置するために用いられる。なお、表示装置１０ａ〜１０ｉのマトリクス構成は、本実施形態の例に限定されない。
【００１７】
図３および図４は、本発明の第１の実施形態に係るマルチモニタシステムにおけるモニタスタンドを示すものである。本発明の実施形態に係るモニタスタンドは、図３に示すように、複数のスタンドユニット１（１ａ，１ｂ，・・・）を水平方向および垂直方向に組み合わせて構成される。スタンドユニット１（１ａ，１ｂ，・・・）は、それぞれ、例えば図４に示すように、４個の外形支持フレーム１１〜１４を有する。外形支持フレーム１１および１２は、上下に水平方向に配設される。外形支持フレーム１３および１４は、左右に垂直方向に配設される。これら外形支持フレーム１１〜１４により、表示装置１０を取り付けるための固定部２０が構成される。また、外形支持フレーム１１と外形支持フレーム１２との間には、背面支持フレーム１５および１６が架設される。背面支持フレーム１５および１６は、表示装置１０を固定部２０に取り付けたときの背面位置を規定する。また、背面支持フレーム１５および１６は、互いに交差するように、外形支持フレーム１１と外形支持フレーム１２との間に架設されており、スタンドユニット１の強度を補強している。
【００１８】
外形支持フレーム１３および１４の上端からは、それぞれ、上方結合部２１および２２が突出される。また、外形支持フレーム１３および１４の下端からは、それぞれ、下方結合部２３および２４が突出される。また、外形支持フレーム１３および１４の側方には、それぞれ、側方結合部２５および２６が取り付けられる。なお、左端となるスタンドユニット１には、右側の側方結合部２６だけが設けられ、右端となるスタンドユニット１には、左側の側方結合部２５だけが設けられる。
【００１９】
また、各スタンドユニット１には、配置位置情報設定ユニット５１が取り付けられる。配置位置情報設定ユニット５１は、例えば、近距離無線通信インターフェースであるＮｅａｒ  Ｆｉｅｌｄ  Ｃｏｍｍｕｎｉｃａｔｉｏｎ（ＮＦＣ）チップにより実現される。配置位置情報設定ユニット５１は、マルチモニタシステムにおける配置位置情報の設定を受け付け、この配置位置情報を記憶する。また、配置位置情報設定ユニット５１は、表示装置１０の背面に設けられた無線通信部５４と通信を行う。なお、配置位置情報設定ユニット５１を、スタンドユニット１に組み込んでもよい。例えば、配置位置情報設定ユニット５１を、外形支持フレーム１３または１４に埋め込んでもよい。配置位置情報設定ユニット５１は、情報設定部である。
【００２０】
配置位置情報設定ユニット５１を構成するＮＦＣチップは、その内部に、記憶部５２および通信部５３を備える。ＮＦＣチップは、ＮＦＣリーダ・ライタ機能を有する携帯端末等（以下、リーダ・ライタ端末と呼ぶ。）と近距離無線通信を行うことによって受信した通信データを、記憶部５２に記憶させる。ＮＦＣチップは、無線給電により動作する。よって、ＮＦＣチップは、リーダ・ライタ端末と通信する際に、励起される電力によってデータの書き換えを行うことができるため、電源が不要である。
【００２１】
ＮＦＣチップは、リーダ・ライタ端末が供給する水平モニタ台数および垂直モニタ台数ならびにモニタ設置番号を、配置位置情報として記憶部５２に記憶させる。つまり、配置位置情報は、マルチモニタシステムのマトリクス構成と、自表示装置１０の当該マトリクスにおける位置とを示す情報である。水平モニタ台数および垂直モニタ台数ならびにモニタ設置番号を配置位置情報として用いることにより、配置位置情報設定ユニット５１は、簡単にマルチモニタシステムのマトリクス構成と、自表示装置１０の当該マトリクスにおける位置とを判定することができる。なお、マトリクス構成があらかじめ決まっている場合、配置位置情報は、少なくともモニタ設置番号を含めばよい。
【００２２】
表示装置１０の背面には、各スタンドユニット１の配置位置情報設定ユニット５１に対応する場所（たとえば左上近傍）にＮＦＣチップである無線通信部５４が設けられており、無線通信部５４と配置位置情報設定ユニット５１における通信部５３との間でデータ通信を行う。表示装置１０の背面に設けられる無線通信部５４の設置位置は、ＮＦＣによる通信可能距離を考慮し、各スタンドユニット１における配置位置情報設定ユニット５１の設置場所に応じて適宜決められる。なお、ＮＦＣによる通信可能距離は、例えば１０センチメートル程度であるため、表示装置１０の画面の大きさが十分大きければ、当該表示装置１０を取り付けたスタンドユニット１における無線通信部５４以外の無線通信部５４と通信する（誤通信となる）おそれはない。
【００２３】
マルチモニタシステムを構築する際には、表示装置１０は、外形支持フレーム１１〜１４により囲まれる固定部２０に係合されて固定される。そして、図３に示すように、複数のスタンドユニット１（１ａ，１ｂ，・・・）が水平および垂直方向に配置される。垂直方向に並ぶスタンドユニット１は、上方結合部２１および２２と下方結合部２３および２４とを互いに嵌合することにより結合される。また、水平方向に並ぶスタンドユニット１は、側方結合部２５と側方結合部２６とを互いに嵌合することにより結合される。
【００２４】
図３の例では、図２における表示装置１０ａ〜１０ｉのうち、表示装置１０ａ、１０ｂ、１０ｄを固定する部分が示されている。図３に示すように、垂直方向に並ぶスタンドユニット１ａ、１ｄは、スタンドユニット１ａの下方結合部２３ａおよび２４ａとスタンドユニット１ｄの上方結合部２１ｄおよび２２ｄとを互いに嵌合することにより結合される。また、水平方向に並ぶスタンドユニット１ａ，１ｂは、スタンドユニット１ａの側方結合部２６ａとスタンドユニット１ｂの側方結合部２５ｂとを互いに嵌合することにより結合される。また、この例では、スタンドユニット１ｂの固定部２０ｂに、表示装置１０ｂを固定している。なお、他のスタンドユニットについても同様に結合され、また、他のスタンドユニットにも、同様に、表示装置が固定される。
【００２５】
図５は、本実施形態に係るモニタスタンドで表示装置を固定したときの状態を示すものである。図５に示すように、９個のスタンドユニット１ａ〜１ｉが水平方向に３台、垂直方向に３台配設されて、モニタスタンドが構成される。スタンドユニット１ａ〜１ｉには、それぞれ、表示装置１０ａ〜１０ｉが固定される。スタンドユニット１ａ〜１ｉに取り付けられた配置位置情報設定ユニット５１ａ〜５１ｉと表示装置１０ａ〜１０ｉの背面に設けられた無線通信部５４ａ〜５４ｉとは、それぞれ近距離無線通信を行う。
【００２６】
このように、本実施形態に係るモニタスタンドは、複数のスタンドユニット１ａ〜１ｉを水平方向と垂直方向とに組み合わせて構成される。また、スタンドユニット１ａ〜１ｉには、それぞれ、配置位置情報設定ユニット５１ａ〜５１ｉが取り付けられる。そして、配置位置情報設定ユニット５１ａ〜５１ｉには、それぞれ、水平モニタ台数および垂直モニタ台数ならびにモニタ設置番号が、配置位置情報として記憶される。これにより、表示装置１０ａ〜１０ｉは、それぞれ、マルチモニタシステムにおける表示装置１０の台数や映像表示位置等を設定することができる。これについて、図６を参照して説明する。
【００２７】
図６は、本実施形態における各表示装置の表示位置の設定の説明図である。ここでは、水平方向に３台、垂直方向に３台の合計９台の表示装置１０ａ〜１０ｉを配設して、マルチモニタシステムを構築する例とする。
【００２８】
図６において、スタンドユニット１ａ〜１ｉには、それぞれ、表示装置１０ａ〜１０ｉが固定されている。また、スタンドユニット１ａ〜１ｉには、それぞれ、配置位置情報設定ユニット５１ａ〜５１ｉが取り付けられている。配置位置情報設定ユニット５１ａ〜５１ｉは、それぞれＮＦＣチップにより構成される。
【００２９】
マルチモニタシステムを構築する際に、配置位置情報設定ユニット５１ａ〜５１ｉは、水平モニタ台数および垂直モニタ台数ならびにモニタ設置番号を記憶する。すなわち、ユーザは、リーダ・ライタ端末を使用して、配置位置情報設定ユニット５１に水平モニタ台数および垂直モニタ台数ならびにモニタ設置番号を書き込む。
【００３０】
なお、表示装置１０ａ〜１０ｉの背面に、それぞれ、リーダ・ライタ機能を有する無線通信部を取り付けてもよい。この場合は、スタンドユニット１ａ〜１ｉにそれぞれ取り付けられた表示装置１０ａ〜１０ｉの電源を投入し、従来と同様にリモコン送信機等を使用することによって、表示装置１０ａ〜１０ｉを介して、配置位置情報設定ユニット５１ａ〜５１ｉのデータを書き換えることができる。
【００３１】
図６の例では、水平方向に３台、垂直方向に３台の合計９台の表示装置１０ａ〜１０ｉを配設してマルチモニタシステムを構築している。この場合、図６に示すように、配置位置情報設定ユニット５１ａ〜５１ｉそれぞれには、水平モニタ台数Ｈと、垂直モニタ台数Ｖと、モニタ設置番号Ｐとが記憶される。なお、モニタ設置番号Ｐは、図７に示すように、モニタ配置位置を、左から右方向、上から下方向に順に、連続番号として示したものである。そして、表示装置１０ａ〜１０ｉの電源が投入されると、表示装置１０ａ〜１０ｉは、それぞれ、配置位置情報設定ユニット５１ａ〜５１ｉから、水平モニタ台数Ｈと、垂直モニタ台数Ｖと、モニタ設置番号Ｐとを取り込む。
【００３２】
各表示装置１０ａ〜１０ｉは、配置位置情報設定ユニット５１ａ〜５１ｉから水平モニタ台数Ｈと、垂直モニタ台数Ｖと、モニタ設置番号Ｐとを取り込むことによって、マルチモニタシステムにおける配置位置を判定する。そして、各表示装置１０ａ〜１０ｉは、判定された位置に適応した画面の表示を行う。
【００３３】
より詳細に、図６に示す構成で、表示装置１０ｅを例に説明する。表示装置１０ｅは、スタンドユニット１ｅに固定されている。スタンドユニット１ｅの配置位置情報設定ユニット５１ｅの記憶部５２には、水平モニタ台数Ｈ＝“３”、垂直モニタ台数Ｖ＝“３”、モニタ設置番号Ｐ＝“５”が記憶されている。
【００３４】
表示装置１０ｅの電源が投入されると、表示装置１０ｅは、配置位置情報設定ユニット５１ｅから、水平モニタ台数Ｈ＝“３”、垂直モニタ台数Ｖ＝“３”、およびモニタ設置番号Ｐ＝“５”を読み込む。
【００３５】
表示装置１０ｅは、水平モニタ台数Ｈ＝“３”、および垂直モニタ台数Ｖ＝“３”を取り込むと、これらの情報により、マルチモニタシステムの構成を判定する。すなわち、この例では、水平モニタ台数Ｈが“３”、垂直モニタ台数Ｖが“３”であるから、表示装置１０ｅは、水平方向に３台、垂直方向に３台の合計９台の表示装置からマルチモニタシステムが構築されていると判定する。
【００３６】
そして、表示装置１０ｅは、取り込んだモニタ設置番号Ｐ＝“５”から、表示装置１０ｅがマルチモニタシステムの配置構成の中でどの位置にあるかを判定する。すなわち、この例では、水平モニタ台数Ｈが“３”、垂直モニタ台数Ｖが“３”であり、モニタ設置番号Ｐが“５”である。モニタ設置番号Ｐは、図７に示したように、モニタ配置位置を、左から右方向、上から下方向に順に、連続番号として示したものである。よって、この場合、表示装置１０ｅの二次元座標上での配置位置は、（２，２）の位置となる。
【００３７】
表示装置１０ａ〜１０ｉは、それぞれ、マルチモニタシステムにおける位置を判定することによって、その位置に適応した画面の表示を行うことができる。
【００３８】
図８は、表示装置１０の機能構成を示すブロック図である。図８において、入力インターフェース８１は、Ｈｉｇｈ  Ｄｅｆｉｎｉｔｉｏｎ  Ｍｕｌｔｉｍｅｄｉａ  Ｉｎｔｅｒｆａｃｅ（ＨＤＭＩ）入力端子、Ｄ−ｓｕｂ入力端子等、複数種類の入力端子を備えている。入力インターフェース８１は、画像データ取得部の機能を有している。なお、入力インターフェース８１は、入力映像信号がアナログ信号の場合には、このアナログの入力映像信号をディジタル映像信号に変換するＡｎａｌｏｇ  ｔｏ  Ｄｉｇｉｔａｌ（Ａ／Ｄ）コンバータを含んでいる。入力インターフェース８１からの映像信号は、制御部８４の制御の基に切り替えられ、映像処理部８２に供給される。
【００３９】
出力インターフェース８６は、入力インターフェース８１と同種の出力端子を備えており、映像信号を出力する。このとき出力する映像信号は、入力インターフェース８１に入力された映像信号をそのまま同種の出力端子から出力してもよいし、選択された入力映像信号をその映像フォーマットを変更して任意の出力端子から出力してもよい。
【００４０】
一般に、マルチモニタシステムでは、複数の表示装置の映像信号ラインを従属接続し、例えばパーソナル・コンピュータ等の映像信号発生器が供給する映像信号を、複数の表示装置間で順次配信する。たとえば映像信号発生器からの映像信号を、モニタ設置番号の一番小さな表示装置に入力し、その映像出力端子を次のモニタ設置番号の表示装置に入力する。以下同様に、前段の表示装置の映像出力信号を入力端子に接続し、映像出力端子を次段の表示装置の映像入力端子に接続していく。つまり、マルチモニタシステムを構成する複数の表示装置には、同一の映像信号が入力されることになる。このように、映像信号を縦列に接続すると、映像信号を配信するケーブルの取り回しが容易となる。
【００４１】
映像処理部８２は、映像補正処理、色補正処理等の処理を行う。また、映像処理部８２に対して、画像メモリ９０が設けられている。この画像メモリ９０には、入力映像信号が取り込まれる。映像処理部８２の出力は、表示パネル８３に供給される。表示パネル８３は、例えばＬｉｑｕｉｄ  Ｃｒｙｓｔａｌ  Ｄｉｓｐｌａｙ（ＬＣＤ）パネルであり、映像処理部８２からの映像信号に基づく画像を表示する。
【００４２】
制御部８４は、Ｃｅｎｔｒａｌ  Ｐｒｏｃｅｓｓｉｎｇ  Ｕｎｉｔ（ＣＰＵ）を含み、このＣＰＵに制御プログラムを実行させることによって装置全体を制御する。制御部８４は、表示範囲決定部の機能を有している。制御部８４に対して、メモリ８５が設けられる。このメモリ８５には、マルチモニタシステム上での配置位置情報が記憶される。
【００４３】
また、制御部８４に対して、赤外線の受光部８７が設けられる。受光部８７は、リモコン送信機のコマンド信号を受光し、そのコマンド信号を制御部８４に供給する。制御部８４は、このコマンド信号に基づいて、各種の動作設定を行う。
【００４４】
また、制御部８４に対して、無線通信部８８が設けられる。無線通信部８８は、前述したように、スタンドユニット１ａ〜１ｉそれぞれにおける配置位置情報設定ユニット５１ａ〜５１ｉと通信可能な位置に設けられる。無線通信部８８は、情報受信部の機能を有する。制御部８４は、当該表示装置１０に対応するスタンドユニット１における配置位置情報設定ユニット５１から、水平モニタ台数および垂直モニタ台数ならびにモニタ設置番号を、配置位置情報として取り込む。
【００４５】
上述の表示装置１０ｅの例では、水平モニタ台数Ｈが“３”、垂直モニタ台数Ｖが“３”であり、表示装置１０ｅの二次元座標上での配置位置が（２，２）の位置であると判定される。この配置位置情報は、メモリ８５に記憶される。そして、制御部８４は、この配置位置情報に基づいて、画像の表示範囲を決定する。
【００４６】
つまり、表示装置１０ｅの例では、水平モニタ台数が“３”、垂直モニタ台数が“３”であることから、制御部８４は映像処理部８２に、入力映像の画面を水平方向に３分割し、垂直方向に３分割するよう指令を与える。そして、二次元座標上での配置位置が（２，２）であることから、制御部８４は映像処理部８２に、二次元座標上で（２，２）の配置位置の画像を切り出して読み出すように指令を与える。これにより、画像メモリ９０からは、３台×３台のマルチモニタシステムにおいて、（２，２）の配置位置に適応した表示範囲の画像が読み出され、この画像が表示パネル８３に表示される。
【００４７】
図９は、本実施形態の動作手順を示すフローチャートである。図９において、スタンドユニット１ａ〜１ｉに表示装置１０ａ〜１０ｉが取り付けられる前段階で、リーダ・ライタ端末は、配置位置情報設定ユニット５１ａ〜５１ｉそれぞれに対して、水平モニタ台数および垂直モニタ台数ならびにモニタ設置番号を設定する（ステップＳ１）。次に、配置位置情報設定ユニット５１ａ〜５１ｉは、水平モニタ台数および垂直モニタ台数ならびにモニタ設置番号を配置位置情報として記憶部５２に記憶させる（ステップＳ２）。
【００４８】
スタンドユニット１ａ〜１ｉに表示装置１０ａ〜１０ｉが取り付けられた後、表示装置１０ａ〜１０ｉの電源が投入されると（ステップＳ３：Ｙｅｓ）、表示装置１０ａ〜１０ｉは、配置位置情報設定ユニット５１ａ〜５１ｉとの間で、ＮＦＣによる近距離無線通信を行う（ステップＳ４）。次に、表示装置１０ａ〜１０ｉは、背面に設置した無線通信部８８を介して配置位置情報設定ユニット５１ａ〜５１ｉから、配置位置情報を取り込む（ステップＳ５）。
【００４９】
次に、表示装置１０ａ〜１０ｉそれぞれは、配置位置情報設定ユニット５１ａ〜５１ｉそれぞれから配置位置情報を受信すると、この配置位置情報における、水平モニタ台数および垂直モニタ台数ならびにモニタ設置番号を使用して、マルチモニタシステムの構成およびマルチモニタシステム上での位置を判定する。次に、表示装置１０ａ〜１０ｉは、判定された配置位置に応じて、画像メモリ上の表示範囲を設定する（ステップＳ６）。
【００５０】
なお、表示装置１０ａ〜１０ｉそれぞれの背面にリーダ・ライタ端末を設けた場合は、スタンドユニット１ａ〜１ｉそれぞれに表示装置１０ａ〜１０ｉそれぞれを取り付けて電源を投入した後、リモコン送信機を使用して、配置位置情報設定ユニット５１ａ〜５１ｉに水平モニタ台数および垂直モニタ台数ならびにモニタ設置番号を書き込むことができる。すなわち、表示装置１０の制御部８４は、受光部８７により受信したリモコン送信機のコマンドを解析し、受信した水平モニタ台数および垂直モニタ台数ならびにモニタ設置番号を示すデータを無線通信部８８に供給する。そして、無線通信部８８は、ＮＦＣによる近距離無線通信を行うことによって、これらのデータを対応する配置位置情報設定ユニット５１に書き込む。この場合は、リーダ・ライタ端末が不要となるため設置作業等における利便性がよい。
【００５１】
［第２の実施形態］
次に、本発明の第２実施形態に係るモニタスタンドについて説明する。本実施形態に係るモニタスタンドにおけるスタンドユニット１（１ａ，１ｂ，・・・）それぞれは、図１０に示すように、第１実施形態と同様の構造である。
【００５２】
各スタンドユニット１には、配置位置情報設定ユニット５１が取り付けられる。配置位置情報設定ユニット５１は、マルチモニタシステムにおける配置位置情報の設定を受け付け、この配置位置情報を記憶する。配置位置情報設定ユニット５１は、外部から電源の供給を受けて動作する。
【００５３】
図１０に示すように、配置位置情報設定ユニット５１は、操作部６１および通信部６３を備える。操作部６１は、水平モニタ台数入力部６５と、垂直モニタ台数入力部６６と、モニタ設置番号入力部６７と、コネクタ部６８とを備える。水平モニタ台数入力部６５には、水平モニタ台数が設定される。垂直モニタ台数入力部６６には、垂直モニタ台数が設定される。また、モニタ設置番号入力部６７には、モニタ設置番号が設定される。水平モニタ台数入力部６５、垂直モニタ台数入力部６６、モニタ設置番号入力部６７、およびコネクタ部６８は、それぞれ通信部６３と接続されている。図１に照らし合わせた場合、操作部６１および通信部６３が情報設定部５１２である。
【００５４】
コネクタ部６８と表示装置１０のコネクタ部７１とは、ケーブル７２により接続される。通信部６３は、コネクタ部６８を介して、表示装置１０とデータ通信を行う。なお、コネクタ部７１およびコネクタ部６８は、例えば、ＲＳ−２３２Ｃコネクタであり、ケーブル７２は、ＲＳ−２３２Ｃのシリアルケーブルである。
【００５５】
図１１は、本実施形態に係るモニタスタンドで表示装置を固定したときの状態を示すものである。図１１に示すように、９個のスタンドユニット１ａ〜１ｉが水平方向に３台、垂直方向に３台配設されて、モニタスタンドが構成される。各スタンドユニット１ａ〜１ｉには、表示装置１０ａ〜１０ｉがそれぞれ固定される。各スタンドユニット１ａ〜１ｉにおけるコネクタ部６８ａ〜６８ｉは、ケーブル７２ａ〜７２ｉをそれぞれ介して、表示装置１０ａ〜１０ｉのコネクタ部７１ａ〜７１ｉにそれぞれ接続される。
【００５６】
このように、本発明の実施形態に係るモニタスタンドは、複数のスタンドユニット１ａ〜１ｉを水平方向と垂直方向とに組み合わせて構成される。そして、各スタンドユニット１ａ〜１ｉには、配置位置情報設定ユニット５１ａ〜５１ｉが取り付けられる。配置位置情報設定ユニット５１ａ〜５１ｉには、配置位置情報として、水平モニタ台数および垂直モニタ台数ならびにモニタ設置番号が記憶される。これにより、リモコン送信機等を用いることなく、各表示装置１０ａ〜１０ｉに、表示装置の台数や映像表示位置等を設定できる。このことについて、図１２を用いて説明する。
【００５７】
図１２は、本実施形態における各表示装置の表示位置の設定の説明図である。ここでは、水平方向に３台、垂直方向に３台の合計９台の表示装置１０ａ〜１０ｉを配設して、マルチモニタシステムを構築する例とする。
【００５８】
図１２において、スタンドユニット１ａ〜１ｉには、それぞれ、表示装置１０ａ〜１０ｉが固定されている。また、スタンドユニット１ａ〜１ｉには、それぞれ、配置位置情報設定ユニット５１ａ〜５１ｉが取り付けられている。
【００５９】
マルチモニタシステムを構築する際には、ユーザは、配置位置情報設定ユニット５１の操作部６１において、水平モニタ台数入力部６５で水平モニタ台数を設定し、垂直モニタ台数入力部６６で垂直モニタ台数を設定し、モニタ設置番号入力部６７でモニタ設置番号を設定する。これにより、操作部６１には、水平モニタ台数および垂直モニタ台数ならびにモニタ設置番号が配置位置情報として設定、すなわち記憶される。
【００６０】
図１２の例では、水平方向に３台、垂直方向に３台の合計９台の表示装置１０ａ〜１０ｉを配設してマルチモニタシステムを構築している。この場合、図１２に示すように、配置位置情報設定ユニット５１ａ〜５１ｉそれぞれには、水平モニタ台数Ｈと、垂直モニタ台数Ｖと、モニタ設置番号Ｐとが記憶される。なお、モニタ設置番号Ｐは、図７に示すように、モニタ配置位置を、左から右方向、上から下方向に順に、連続番号として示したものである。そして、表示装置１０ａ〜１０ｉの電源が投入されると、表示装置１０ａ〜１０ｉは、それぞれ、配置位置情報設定ユニット５１ａ〜５１ｉの操作部６１ａ〜６１ｉから、水平モニタ台数Ｈと、垂直モニタ台数Ｖと、モニタ設置番号Ｐとを取り込む。
【００６１】
各表示装置１０ａ〜１０ｉは、配置位置情報設定ユニット５１ａ〜５１ｉから送られてくる水平モニタ台数Ｈと、垂直モニタ台数Ｖと、モニタ設置番号Ｐとを取得することによって、マルチモニタシステムにおける配置位置を判定する。そして、各表示装置１０ａ〜１０ｉは、判定された位置に適応した画面の表示を行う。
【００６２】
より詳細に、図１２に示す構成で、表示装置１０ｅを例に説明する。表示装置１０ｅは、スタンドユニット１ｅに固定されている。スタンドユニット１ｅの配置位置情報設定ユニット５１ｅの操作部６１には、水平モニタ台数Ｈ＝“３”、垂直モニタ台数Ｖ＝“３”、モニタ設置番号Ｐ＝“５”が設定されている。
【００６３】
表示装置１０ｅの電源が投入されると、表示装置１０ｅは、配置位置情報設定ユニット５１ｅから、水平モニタ台数Ｈ＝“３”、垂直モニタ台数Ｖ＝“３”、およびモニタ設置番号Ｐ＝“５”を取り込む。
【００６４】
表示装置１０ｅは、水平モニタ台数Ｈ＝“３”、および垂直モニタ台数Ｖ＝“３”を取り込むと、これらの情報により、マルチモニタシステムの構成を判定する。すなわち、この例では、水平モニタ台数Ｈが“３”、垂直モニタ台数Ｖが“３”であるから、表示装置１０ｅは、水平方向に３台、垂直方向に３台の合計９台の表示装置からマルチモニタシステムが構築されていると判定する。
【００６５】
そして、表示装置１０ｅは、取り込んだモニタ設置番号Ｐ＝“５”から、表示装置１０ｅがマルチモニタシステムの配置構成の中でどの位置にあるかを判定する。すなわち、この例では、水平モニタ台数Ｈが“３”、垂直モニタ台数Ｖが“３”であり、モニタ設置番号Ｐが“５”である。モニタ設置番号Ｐは、図７に示したように、モニタ配置位置を、左から右方向、上から下方向に順に、連続番号として示したものである。よって、この場合、表示装置１０ｅの二次元座標上での配置位置は、（２，２）の位置となる。
【００６６】
表示装置１０ａ〜１０ｉは、それぞれ、マルチモニタシステムにおける位置を判定することによって、その位置に適応した画面の表示を行うことができる。
【００６７】
図１３は、表示装置１０の機能構成を示すブロック図である。図１３における表示装置１０は、第１実施形態に係る表示装置１０に対して、無線通信部８８の代わりにコネクタ部７１を備えている。
【００６８】
コネクタ部７１は、例えば、ＲＳ−２３２Ｃコネクタである。コネクタ部７１は、前述したように、スタンドユニット１に設けられた配置位置情報設定ユニット５１おけるコネクタ部６８に接続される。コネクタ部７１から、水平モニタ台数および垂直モニタ台数ならびにモニタ設置番号が配置位置情報として入力される。
【００６９】
上述の表示装置１０ｅの例では、水平モニタ台数Ｈが“３”、垂直モニタ台数Ｖが“３”であり、表示装置１０ｅの二次元座標上での配置位置が（２，２）の位置であると判定される。この配置位置情報は、メモリ８５に記憶される。制御部８４は、この配置位置情報に基づいて、画像の表示範囲を決定する。
【００７０】
つまり、表示装置１０ｅの例では、水平モニタ台数が“３”、垂直モニタ台数が“３”であることから、制御部８４は映像処理部８２に、入力映像の画面を水平方向に３分割し、垂直方向に３分割するよう指令を与える。そして、二次元座標上での配置位置が（２，２）であることから、制御部８４は映像処理部８２に、二次元座標上で（２，２）の配置位置の画像を切り出して読み出すように指令を与える。これにより、画像メモリ９０からは、３台×３台のマルチモニタシステムにおいて、（２，２）の配置位置に適応した表示範囲の画像が読み出され、この画像が表示パネル８３に表示される。
【００７１】
図１４は、本実施形態の動作手順を示すフローチャートである。図１４において、ユーザは、操作部６１の水平モニタ台数入力部６５で水平モニタ台数を設定し、垂直モニタ台数入力部６６で垂直モニタ台数を設定し、モニタ設置番号入力部６７でモニタ設置番号を設定する（ステップＳ１１）。
【００７２】
表示装置１０ａ〜１０ｉの電源が投入されると（ステップＳ１３：Ｙｅｓ）、表示装置１０ａ〜１０ｉは、配置位置情報設定ユニット５１ａ〜５１ｉに、配置位置情報を要求する（ステップＳ１４）。配置位置情報設定ユニット５１ａ〜５１ｉは、配置位置情報要求を受信すると、操作部６１ａ〜６１ｉから、水平モニタ台数および垂直モニタ台数ならびにモニタ設置番号を含む配置位置情報を読み出し、この配置位置情報を表示装置１０ａ〜１０ｉに送信する（ステップＳ１５）。
【００７３】
各表示装置１０ａ〜１０ｉは、各配置位置情報設定ユニット５１ａ〜５１ｉから配置位置情報を受信すると、受信した配置位置情報を使用して、マルチモニタシステムの構成およびマルチモニタシステム上での位置を判定する。そして、各表示装置１０ａ〜１０ｉは、判定された配置位置に応じて、画像メモリ上の表示範囲を設定する（ステップＳ１６）。
【００７４】
［第３の実施形態］
次に、本発明の第３の実施形態について説明する。図１５は、本実施形態に係るマルチモニタシステムにおけるモニタスタンドを示す図である。
【００７５】
本実施形態に係るスタンドユニット１０１は、図１５に示すように、固定部１２０を構成する４個の外形支持フレーム１１１〜１１４と、背面支持フレーム１１５および１１６とが設けられる。外形支持フレーム１１３および１１４の上端からは、それぞれ、上方結合部１２１および１２２が突出される。また、外形支持フレーム１１３および１１４の下端からは、それぞれ、下方結合部１２３および１２４が突出される。また、外形支持フレーム１１３および１１４の側方には、それぞれ、側方結合部１２５および１２６が取り付けられる。
【００７６】
また、各スタンドユニット１０１には、配置位置情報設定ユニット１５１が取り付けられる。配置位置情報設定ユニット１５１は、外部から電源の供給を受けて動作する。図１５に示すように、配置位置情報設定ユニット１５１は、操作部１６１と、記憶部１６２と、通信部１６３と、設置番号決定部１６７とを備える。また、操作部１６１は、水平モニタ台数入力部１６５と、垂直モニタ台数入力部１６６と、コネクタ部１６８と、入力端子１６９と、出力端子１７０とを備える。図１に照らし合わせた場合、操作部１６１、記憶部１６２、通信部１６３、および設置番号決定部１６７が情報設定部５１２である。
【００７７】
コネクタ部１６８は、表示装置１１０とデータ通信を行うためのもので、表示装置１１０のコネクタ部１７１と、ケーブル１７２により接続される。
【００７８】
入力端子１６９は、モニタ設置番号が小さくなる側に隣接する表示装置から、モニタ設置番号の情報を入力する。そして、設置番号決定部１６７は、入力した隣接する表示装置のモニタ設置番号に、ステップ数である歩進数を加え、自表示装置１０のモニタ設置番号を決定する。歩進数は、例えば固定の数“１”である。出力端子１７０は、決定された自表示装置１０のモニタ設置番号を、設置番号が大きくなる側に隣接する表示装置に送信する。なお、設置番号決定部１６７は、加算器やカウンタ、制御装置等により実現される。
【００７９】
記憶部１６２は、設置番号決定部１６７により決定されたモニタ設置番号を記憶する。
【００８０】
図１６は、本実施形態に係るモニタスタンドで表示装置を固定したときの状態を示すものである。図１６に示すように、９個のスタンドユニット１０１ａ〜１０１ｉが水平方向に３台、垂直方向に３台配設されて、モニタスタンドが構成される。各スタンドユニット１０１ａ〜１０１ｉには、表示装置１１０ａ〜１１０ｉが固定される。各スタンドユニット１０１ａ〜１０１ｉにおけるコネクタ部１６８ａ〜１６８ｉは、ケーブル１７２ａ〜１７２ｉをそれぞれ介して、表示装置１１０ａ〜１１０ｉのコネクタ部１７１ａ〜１７１ｉにそれぞれ接続される。
【００８１】
また、スタンドユニット１０１ａの出力端子１７０ａは、スタンドユニット１０１ｂの入力端子１６９ｂに接続される。スタンドユニット１０１ｂの出力端子１７０ｂは、スタンドユニット１０１ｃの入力端子１６９ｃに接続される。スタンドユニット１０１ｃの出力端子１７０ｃは、スタンドユニット１０１ｄの入力端子１６９ｄに接続される。以下同様に、スタンドユニット１０１ｄ，１０１ｅ，１０１ｆ，１０１ｇ，１０１ｈの出力端子１７０ｄ，１７０ｅ，１７０ｆ，１７０ｇ，１７０ｈは、隣接するスタンドユニット１０１ｅ，１０１ｆ，１０１ｇ，１０１ｈ，１０１ｉの入力端子１６９ｅ，１６９ｆ，１６９ｇ，１６９ｈ，１６９ｉにそれぞれ接続される。
【００８２】
本実施形態では、図１５に示したように、配置位置情報設定ユニット１５１に、入力端子１６９と、出力端子１７０と、設置番号決定部１６７とが設けられている。そして、入力端子１６９には、モニタ設置番号が小さくなる側に隣接する表示装置からモニタ設置番号の情報が入力される。設置番号決定部１６７は、入力されたモニタ設置番号に、例えば歩進数“１”を加えて、自表示装置１０のモニタ設置番号を決定する。このことについて、図１７を用いて説明する。
【００８３】
図１７は、本実施形態におけるモニタ設置番号の設定の説明図である。図１７において、例えば、スタンドユニット１０１ａの記憶部１６２ａには、モニタ設置番号の初期値としてＰ＝“１”が設定される。このモニタ設置番号Ｐ＝“１”は、出力端子１７０ａから出力される。そして、このモニタ設置番号Ｐ＝“１”は、スタンドユニット１０１ｂの入力端子１６９ｂから入力され、配置位置情報設定ユニット１５１ｂに送られる。
【００８４】
配置位置情報設定ユニット１５１ｂの設置番号決定部１６７ｂは、スタンドユニット１０１ａから送られてきたモニタ設置番号Ｐ＝“１”に、歩進数“１”を加えてＰ＝“２”とし、この数をスタンドユニット１０１ｂのモニタ設置番号として決定する。このモニタ設置番号Ｐ＝“２”が記憶部１６２ｂに記憶されるとともに、出力端子１７０ｂから出力される。そして、このモニタ設置番号Ｐ＝“２”は、スタンドユニット１０１ｃの入力端子１６９ｃから入力される。
【００８５】
配置位置情報設定ユニット１５１ｃの設置番号決定部１６７ｃは、スタンドユニット１０１ｂから送られてきたモニタ設置番号Ｐ＝“２”に、歩進数“１”を加えてＰ＝“３”とし、この数をスタンドユニット１０１ｃのモニタ設置番号として決定する。このモニタ設置番号Ｐ＝“３”が記憶部１６２ｃに記憶されるとともに、出力端子１７０ｃから出力される。
【００８６】
以下、同様に、スタンドユニット１０１ｄ〜１０１ｉの設置番号決定部１６７ｄ〜１６７ｉは、隣接するスタンドユニットから送られてきたモニタ設置番号に、歩進数“１”を加えていくことによって各モニタ設置番号として“４”、“５”、・・・、“９”を決定し、記憶部１６２ｄ〜１６２ｉそれぞれに記憶させる。
【００８７】
このように、本実施形態では、隣接する表示装置のモニタ設置番号に歩進数を加えていくことによって、各表示装置のモニタ設置番号を決定している。このため、各表示装置のモニタ設置番号を入力する必要がない。また、本実施形態では、表示装置のモニタ設置番号に変更があった場合にも、容易に対応できる。
【００８８】
図１８は、本実施形態の動作手順を示すフローチャートである。図１８において、ユーザは、水平モニタ台数入力部１６５および垂直モニタ台数入力部１６６で、水平モニタ台数および垂直モニタ台数を設定する（ステップＳ１０１）。
【００８９】
配置位置情報設定ユニット１５１ａ〜１５１ｉは、モニタ設置番号が小さくなる側に隣接するスタンドユニットからのモニタ設置番号を受信する（ステップＳ１０３）。なお、先頭の配置位置情報設定ユニット１５１ａには、モニタ設置番号として、初期値“１”を設定する。
【００９０】
配置位置情報設定ユニット１５１ｂ〜１５１ｉの設置番号決定部１６７ｂ〜１６７ｉは、隣接する配置位置情報設定ユニットから受信したモニタ設置番号に、歩進数“１”を加えて、各表示装置のモニタ設置番号を決定する（ステップＳ１０４）。記憶部１６２ａ〜１６２ｉは、決定されたモニタ設置番号を記憶する（ステップＳ１０５）。そして、配置位置情報設定ユニット１５１ａ〜１５１ｉそれぞれは、決定されたモニタ設置番号を、モニタ設置番号が大きくなる側に隣接する配置位置情報設定ユニットに送信する（ステップＳ１０６）。
【００９１】
そして、各配置位置情報設定ユニット１５１ａ〜１５１ｉは、全ての配置位置情報設定ユニット１５１ａ〜１５１ｉにおいて、モニタ設置番号が決定されたか否かを判定する（ステップＳ１０７）。全てのモニタ設置番号が決定されていなければ、ステップＳ１０３〜ステップＳ１０７の処理が繰り返して行われる。これにより、マルチモニタシステムを構成する全てのスタンドユニット１０１の配置位置情報設定ユニット１１５は、モニタ設置番号を決定し、記憶部１６２に記憶する。
【００９２】
表示装置１１０ａ〜１１０ｉの電源が投入されると（ステップＳ１０８：Ｙｅｓ）、表示装置１１０ａ〜１１０ｉは、配置位置情報設定ユニット１５１ａ〜１５１ｉに、配置位置情報を要求する（ステップＳ１０９）。配置位置情報設定ユニット１５１ａ〜１５１ｉは、配置位置情報の要求を受信すると、水平モニタ台数および垂直モニタ台数ならびにモニタ設置番号の配置位置情報を、表示装置１１０ａ〜１１０ｉに送信する（ステップＳ１１０）。
【００９３】
表示装置１１０ａ〜１１０ｉは、それぞれ、配置位置情報設定ユニット１５１ａ〜１５１ｉから配置位置情報を受信すると、受信した配置位置情報を使用して、マルチモニタシステムの構成およびマルチモニタシステム上での位置を判定する。そして、表示装置１１０ａ〜１１０ｉは、それぞれ、判定された配置位置に応じて、画像メモリ上の表示範囲を設定する（ステップＳ１１１）。
【００９４】
なお、上述した各実施形態では、表示装置１０の配置位置情報として、モニタ配置位置を、左から右方向、上から下方向に順に、連続番号として示したモニタ設置番号を設定している。このようなモニタ設置番号の代わりに、例えば、（１１，１２，１３，２１，２２，２３，等）のような表示装置の水平方向および垂直方向の位置を示す二次元座標を配置位置情報として設定してもよい。
【００９５】
また、上述した実施形態であるスタンドユニット１の配置位置情報設定ユニット５１および表示装置１０の一部、例えば、制御部の機能をコンピュータで実現するようにしてもよい。この場合、その制御機能を実現するためのプログラムをコンピュータ読み取り可能な記録媒体に記録し、この記録媒体に記録されたプログラムをコンピュータシステムに読み込ませて、このコンピュータシステムが実行することによって実現してもよい。なお、このコンピュータシステムとは、オペレーティング・システム（Ｏｐｅｒａｔｉｎｇ  Ｓｙｓｔｅｍ；ＯＳ）や周辺装置のハードウェアを含むものである。また、コンピュータ読み取り可能な記録媒体とは、フレキシブルディスク、光磁気ディスク、光ディスク、メモリカード等の可搬型記録媒体、コンピュータシステムに備えられる磁気ハードディスクやソリッドステートドライブ等の記憶装置のことをいう。さらに、コンピュータ読み取り可能な記録媒体とは、インターネット等のコンピュータネットワーク、および電話回線や携帯電話網を介してプログラムを送信する場合の通信回線のように、短時間の間、動的にプログラムを保持するもの、さらには、その場合のサーバ装置やクライアントとなるコンピュータシステム内部の揮発性メモリのように、一定時間プログラムを保持するものを含んでもよい。また上記のプログラムは、前述した機能の一部を実現するためのものであってもよく、さらに、前述した機能をコンピュータシステムにすでに記録されているプログラムとの組み合わせにより実現するものであってもよい。
【００９６】
以上、本発明の実施の形態について図面を参照して詳述したが、具体的な構成はその実施形態に限られるものではなく、本発明の要旨を逸脱しない範囲の設計等も含まれる。
【符号の説明】
【００９７】
１，１ａ〜１ｉ  スタンドユニット
１０，１０ａ〜１０ｉ  表示装置
２０  固定部
５１，５１ａ〜５１ｉ  配置位置情報設定ユニット
５２  記憶部
５３  通信部
５４  無線通信部
６１  操作部
８８  無線通信部
１０１，１０１ａ〜１０１ｉ  スタンドユニット
１１０，１１０ａ〜１１０ｉ  表示装置
１２０  固定部
１５１，１５１ａ〜１５１ｉ  配置位置情報設定ユニット
１６１  操作部
１６２  記憶部
１６３  通信部
５１１  固定部
５１２  情報設定部
５１３  表示装置
【図１】
0006041403.tif 000002
【図２】
0006041403.tif 000003
【図３】
0006041403.tif 000004
【図４】
0006041403.tif 000005
【図５】
0006041403.tif 000006
【図６】
0006041403.tif 000007
【図７】
0006041403.tif 000008
【図８】
0006041403.tif 000009
【図９】
0006041403.tif 000010
【図１０】
0006041403.tif 000011
【図１１】
0006041403.tif 000012
【図１２】
0006041403.tif 000013
【図１３】
0006041403.tif 000014
【図１４】
0006041403.tif 000015
【図１５】
0006041403.tif 000016
【図１６】
0006041403.tif 000017
【図１７】
0006041403.tif 000018
【図１８】
0006041403.tif 000019